(57)【要約】【課題】  物品の受け渡しを行う際に、渡す側が物品を渡し忘れて持ち帰ってしまった場合、その旨を受け取る側が渡す側に連絡する手間を省く。【解決手段】  物品の受け渡しを行う渡す側３０１が所持する携帯端末１０１において、受け取る側３０２が所持する携帯端末１０１及び物品１０９の情報が保存されている無線ＩＣタグ読み取り部１０２と、受け取る側３０２が所持する携帯端末１０１に付与された無線ＩＣタグ１０６と、物品１０９に付与された無線ＩＣタグ１１０とによって、渡す側３０１が所持する携帯端末１０１が、受け取る側３０２が所持する携帯端末１０１及び物品１０９から離れているかどうかの判断を行い、渡す側３０１が所持する携帯端末１０１において、物品１０９の受け渡し忘れを検出する。【選択図】図３
2006085439.tif 000002
【特許請求の範囲】
【請求項１】
物品の受け渡しを行う際に、該物品を渡す側が所持する第１の携帯端末と、該物品を受け取る側が所持する第２の携帯端末とによって該物品を確認する際の前記第１の携帯端末における物品確認方法であって、
前記第２の携帯端末に取り付けられた受け取る側無線ＩＣタグから情報を読み出すことによって該第２の携帯端末を検索する処理と、
前記第２の携帯端末が検索された場合に、前記受け取る側無線ＩＣタグから読み出された情報に前記物品の情報が含まれているかどうかを確認する処理と、
前記受け取る側無線ＩＣタグから読み出された情報に前記物品の情報が含まれている場合に、前記受け取る側無線ＩＣタグから情報を読み出すことによって再度前記第２の携帯端末を検索する処理と、
前記受け取る側無線ＩＣタグから情報を読み出すことによって該第２の携帯端末が検索されなかった場合に、前記物品に取り付けられた物品無線ＩＣタグから該物品の情報が読み出されたかどうかを確認する処理と、
前記物品に取り付けられた物品無線ＩＣタグから該物品の情報が読み出された場合にその旨を出力する処理とを有する物品確認方法。
【請求項２】
請求項１に記載の物品確認方法において、
前記第２の携帯端末の情報及び前記物品の情報を当該第１の携帯端末内に保存しておく処理を有し、
読み出した情報と保存された前記第２の携帯端末の情報とを比較することによって前記第２の携帯端末を検索し、
読み出した情報と保存された前記物品の情報とを比較することによって、前記物品無線ＩＣタグから該物品の情報が読み出されたかどうかを確認することを特徴とする物品確認方法。
【請求項３】
請求項２に記載の物品確認方法において、
前記第２の携帯端末から送信されてきた当該第２の携帯端末の情報を保存することを特徴とする物品確認方法。
【請求項４】
物品の受け渡しを行う際に、該物品を渡す側が所持する第１の携帯端末と、該物品を受け取る側が所持する第２の携帯端末とによって該物品を確認する際の前記第２の携帯端末における物品確認方法であって、
前記第１の携帯端末に取り付けられた渡す側無線ＩＣタグから情報を読み出すことによって該第１の携帯端末を検索する処理と、
前記第１の携帯端末が検索された場合に、前記渡す側無線ＩＣタグから読み出された情報に前記物品の情報が含まれているかどうかを確認する処理と、
前記渡す側無線ＩＣタグから読み出された情報に前記物品の情報が含まれている場合に、前記渡す側無線ＩＣタグから情報を読み出すことによって再度前記第１の携帯端末を検索する処理と、
前記受け取る側無線ＩＣタグから情報を読み出すことによって該第１の携帯端末が検索されなかった場合に、前記物品に取り付けられた物品無線ＩＣタグから該物品の情報が読み出されたかどうかを確認する処理と、
前記物品に取り付けられた物品無線ＩＣタグから該物品の情報が読み出されなかった場合にその旨を出力する処理とを有する物品確認方法。
【請求項５】
請求項４に記載の物品確認方法において、
前記第１の携帯端末の情報及び前記物品の情報を当該第２の携帯端末内に保存しておく処理を有し、
読み出した情報と保存された前記第１の携帯端末の情報とを比較することによって前記第１の携帯端末を検索し、
読み出した情報と保存された前記物品の情報とを比較することによって、前記物品無線ＩＣタグから該物品の情報が読み出されたかどうかを確認することを特徴とする物品確認方法。
【請求項６】
請求項５に記載の物品確認方法において、
前記第１の携帯端末から送信されてきた当該第１の携帯端末及び前記物品の情報を保存することを特徴とする物品確認方法。
【発明の詳細な説明】
【技術分野】
【０００１】
本発明は、物品の受け渡しを行う際に、受け渡される物品を確認する物品確認方法に関する。
【背景技術】
【０００２】
従来より、物品の受け渡しを行う際に、受け渡される物品を確認する方法として、受け渡される物品の情報が記載された一覧表を予め作成しておき、その一覧表に記載された情報に基づいて、受け渡される物品を確認する方法が行われていた。
【０００３】
ところが、１つの箱に数種類あるいは数個の物品が梱包されている場合、開梱して確認を行わなければならない。また物品の数量が多い場合は、数量の確認を行うのに時間がかかってしまう。
【０００４】
そこで、近年、受け渡される物品のそれぞれにＲＦＩＤ（Radio Frequency Identification）等の無線技術を利用した無線ＩＣタグを付与しておくとともに、この無線ＩＣタグと通信可能な装置を携帯端末に設けておき、携帯端末の近くに物品が存在するかどうかを確認する方法が考えられている（例えば、特許文献１参照。）。この技術においては、物品に付与された無線ＩＣタグの情報をその装置に登録しておき、登録された無線ＩＣタグが携帯端末の近くに存在するかどうかが検知され、存在することが検知されない場合、無線ＩＣタグが付与された物品が携帯端末の近くに存在しないと判断され、その旨が報知されることになる。
【特許文献１】特開２００４−０１３７８９号公報
【発明の開示】
【発明が解決しようとする課題】
【０００５】
しかしながら、上述したように、無線ＩＣタグが付与された物品が携帯端末の近くに存在するかどうかを報知するだけでは、物品を受け取る側が携帯端末を所持していた場合、物品の受け渡し時に、物品を渡す側と受け取る側との間で上述した処理にて物品の存在を確認することができるものの、物品の存在を確認した後、物品を渡す側が誤って物品を持ち帰ってしまった場合、物品を受け取る側には携帯端末によって物品の不在が報知されるが、物品を渡す側には物品が受け渡されていない旨が報知されないため、物品を受け取る側から物品を渡す側にその旨を連絡する手間が生じてしまうという問題点がある。
【０００６】
本発明は、上述したような従来の技術が有する問題点を鑑みてなされたものであって、受け渡されるべき物品が受け渡されなかった場合、物品を受け取る側が物品を渡す側に連絡することなく、物品を渡す側がその旨を認識できる物品確認方法を提供することを目的とする。
【課題を解決するための手段】
【０００７】
上記目的を達成するために本発明は、
物品の受け渡しを行う際に、該物品を渡す側が所持する第１の携帯端末と、該物品を受け取る側が所持する第２の携帯端末とによって該物品を確認する際の前記第１の携帯端末における物品確認方法であって、
前記第２の携帯端末に取り付けられた受け取る側無線ＩＣタグから情報を読み出すことによって該第２の携帯端末を検索する処理と、
前記第２の携帯端末が検索された場合に、前記受け取る側無線ＩＣタグから読み出された情報に前記物品の情報が含まれているかどうかを確認する処理と、
前記受け取る側無線ＩＣタグから読み出された情報に前記物品の情報が含まれている場合に、前記受け取る側無線ＩＣタグから情報を読み出すことによって再度前記第２の携帯端末を検索する処理と、
前記受け取る側無線ＩＣタグから情報を読み出すことによって該第２の携帯端末が検索されなかった場合に、前記物品に取り付けられた物品無線ＩＣタグから該物品の情報が読み出されたかどうかを確認する処理と、
前記物品に取り付けられた物品無線ＩＣタグから該物品の情報が読み出された場合にその旨を出力する処理とを有する。
【０００８】
また、
前記第２の携帯端末の情報及び前記物品の情報を当該第１の携帯端末内に保存しておく処理を有し、
読み出した情報と保存された前記第２の携帯端末の情報とを比較することによって前記第２の携帯端末を検索し、
読み出した情報と保存された前記物品の情報とを比較することによって、前記物品無線ＩＣタグから該物品の情報が読み出されたかどうかを確認することを特徴とする。
【０００９】
また、
前記第２の携帯端末から送信されてきた当該第２の携帯端末の情報を保存することを特徴とする。
【００１０】
また、
物品の受け渡しを行う際に、該物品を渡す側が所持する第１の携帯端末と、該物品を受け取る側が所持する第２の携帯端末とによって該物品を確認する際の前記第２の携帯端末における物品確認方法であって、
前記第１の携帯端末に取り付けられた渡す側無線ＩＣタグから情報を読み出すことによって該第１の携帯端末を検索する処理と、
前記第１の携帯端末が検索された場合に、前記渡す側無線ＩＣタグから読み出された情報に前記物品の情報が含まれているかどうかを確認する処理と、
前記渡す側無線ＩＣタグから読み出された情報に前記物品の情報が含まれている場合に、前記渡す側無線ＩＣタグから情報を読み出すことによって再度前記第１の携帯端末を検索する処理と、
前記受け取る側無線ＩＣタグから情報を読み出すことによって該第１の携帯端末が検索されなかった場合に、前記物品に取り付けられた物品無線ＩＣタグから該物品の情報が読み出されたかどうかを確認する処理と、
前記物品に取り付けられた物品無線ＩＣタグから該物品の情報が読み出されなかった場合にその旨を出力する処理とを有する。
【００１１】
また、
前記第１の携帯端末の情報及び前記物品の情報を当該第２の携帯端末内に保存しておく処理を有し、
読み出した情報と保存された前記第１の携帯端末の情報とを比較することによって前記第１の携帯端末を検索し、
読み出した情報と保存された前記物品の情報とを比較することによって、前記物品無線ＩＣタグから該物品の情報が読み出されたかどうかを確認することを特徴とする。
【００１２】
また、
前記第１の携帯端末から送信されてきた当該第１の携帯端末及び前記物品の情報を保存することを特徴とする。
【００１３】
上記のように構成された本発明においては、物品を渡す側が所持する携帯端末によって、物品を受け取る側が所持する携帯端末に取り付けられた無線ＩＣタグから情報が読み出されることにより、受け取る側が所持する携帯端末の検索を行い、受け取る側が所持する携帯端末が検索された場合、読み出された情報の中に物品の情報が含まれているかどうかの確認を行う。さらに、読み出された情報の中に物品の情報が含まれている場合、再度受け取る側が所持する携帯端末に取り付けられた無線ＩＣタグの読み出しを行い、受け取る側が所持する携帯端末が検出されなかった場合、物品に取り付けられた無線ＩＣタグの情報が読み出されたかどうかの確認を行う。物品に取り付けられた無線ＩＣタグの情報が読み出された場合、その旨を出力する。
【００１４】
このように、渡す側が所持する携帯端末から、受け取る側が所持する携帯端末及び物品の検索が可能となるため、渡す側と受け取る側との間で物品の受け渡しを行い物品の存在の確認を完了した後、渡す側が誤って物品を持ち帰ってしまった場合、渡す側が所持する携帯電話が行う検索処理によって、渡す側が物品を所持したままであることが報知され、渡し忘れた旨を渡す側で認識できる。そのため、物品を受け取っていない旨を受け取る側から渡す側に連絡する手間を不要とすることができる。
【発明の効果】
【００１５】
以上説明したように本発明においては、物品の受け渡しを行う際に、物品を渡す側が所持する第１の携帯端末において、物品を受け取る側が所持する第２の携帯端末と物品とを検索し、また、第２の携帯端末において、第１の携帯端末と物品とを検索し、これらの検索結果を用いた報知を行う構成としたため、受け渡されるべき物品が受け渡されなかった場合、物品を受け取る側が物品を渡す側に連絡することなく、物品を渡す側がその旨を認識できる。
【発明を実施するための最良の形態】
【００１６】
以下に、本発明の実施の形態について図面を参照して説明する。
【００１７】
図１は、本発明の物品確認方法を実現するためのシステム構成の実施の一形態を示す図である。
【００１８】
本形態は図１に示すように、受け渡される物品１０９に貼付等によって取り付けられた無線ＩＣタグ１１０と、無線ＩＣタグ１１０から情報を読み取り、その読み取り状態に応じた報知を行う携帯端末１０１とから構成されている。携帯端末１０１には、物品１０９に取り付けられた無線ＩＣタグ１１０から情報を読み取る無線ＩＣタグ読み取り部１０２と、無線ＩＣタグ読み取り部１０２における情報の読み取り結果に応じた報知を行う報知手段である表示部１０３、スピーカ１０４及びバイブレータ１０５とが設けられており、無線ＩＣタグ読み取り部１０２と、表示部１０３、スピーカ１０４及びバイブレータ１０５との間及び外部との間のやり取りを行うインタフェース部１０７が設けられている。また、携帯端末１０１には、物品１０９を受け渡す相手側の携帯端末１０１に設けられた無線ＩＣタグ読み取り部１０２にて情報が読み取られる無線ＩＣタグ１０６が設けられている。さらに、携帯端末１０１には、携帯端末１０１を操作する操作部１０８が設けられている。
【００１９】
図２は、図１に示した無線ＩＣタグ読み取り部１０２、インタフェース部１０７、無線ＩＣタグ１０６及び無線ＩＣタグ１１０の構成を示す図である。
【００２０】
図２に示すように、無線ＩＣタグ１０６，１１０には、情報を保存しておく内部メモリ２０８，２０９がそれぞれ設けられている。また、インタフェース部１０７には、外部との情報のやり取りを行う入出力部２０７と、入出力部２０７を介して入力された情報を保存しておく内部メモリ２０５と、それらを制御する内部制御部２０６とが設けられている。また、無線ＩＣタグ読み取り部１０２には、無線ＩＣタグ１０６，１１０の内部メモリ２０８，２０９から情報を読み取る情報読み取り部２０３と、内部タイマー２０１と、情報読み取り部２０３にて読み取った情報や内部タイマー２０１によって計算される時間に応じた報知信号を出力する制御部２０４と、情報を保存しておく内部メモリ２０２とが設けられている。
【００２１】
なお、内部メモリ２０８には携帯端末１０１の情報が、内部メモリ２０９には物品１０９の情報が、それぞれ保存されている。
【００２２】
以下に、上記のように構成された携帯端末１０１と無線ＩＣタグ１０６，１１０を用いた物品確認方法について説明する。
【００２３】
まず、図１及び図２に示した携帯端末１０１における情報登録処理について説明する。
【００２４】
図３は、図１に示した携帯端末１０１と物品１０９とについて、物品１０９を渡す側と受け取る側との関係を示す図である。
【００２５】
図３に示すように、渡す側３０１から受け取る側３０２に物品１０９が渡される際に、渡す側３０１が所持する携帯端末１０１から受け取る側３０２が所持する携帯端末１０１へ、渡す側３０１が所持する携帯端末１０１の情報及び物品１０９の情報が予め送付され、受け取る側３０２が所持する携帯端末１０１内の内部メモリ２０２に保存されている。また、それに対し、受け取る側３０２が所持する携帯端末１０１から渡す側３０１が所持する携帯端末１０１へ、受け取る側３０２が所持する携帯端末１０１の情報が予め送付され、渡す側３０１が所持する携帯端末１０１内の内部メモリ２０２に保存されている。さらに、渡す側３０１が所持する携帯端末１０１内の内部メモリ２０２には、物品１０９の情報も保存されている。
【００２６】
また、ここで、無線ＩＣタグ読み取り部１０２によって無線ＩＣタグ１０６，１１０の情報を読み取ることができる範囲は、半径３ｍとする。
【００２７】
図４は、図３に示した渡す側３０１が所持する携帯端末１０１と受け取る側３０２が所持する携帯端末１０１との間で予め送付しておく情報のやりとりを示すフローチャートである。
【００２８】
図４に示すように、まず、渡す側３０１が所持する携帯端末１０１内の内部メモリ２０２に、物品１０９の情報が保存される（ステップＳ４０１）。なお、渡す側３０１が所持する携帯端末１０１が物品１０９の情報を入手する手段は、インターネット経由によるものでもよいし、操作部１０８を使った手入力によるものでもよい。これらの手段によって入手された物品１０９の情報は、インタフェース部１０７を介して無線ＩＣタグ読み取り部１０２に入力され、制御部２０４によって内部メモリ２０２に保存される。
【００２９】
また、渡す側３０１が所持する携帯端末１０１においては、入手した物品１０９の情報と、渡す側３０１が所持する携帯端末１０１の情報とが、渡す側３０１が所持する携帯端末１０１から受け取る側３０２が所持する携帯端末１０１に送信される（ステップＳ４０２）。
【００３０】
受け取る側３０２が所持する携帯端末１０１の入出力部２０７において、渡す側３０１が所持する携帯端末１０１から、渡す側３０１が所持する携帯端末１０１の情報及び物品１０９の情報が受信されると（ステップＳ４０３）、受信された渡す側３０１が所持する携帯端末１０１の情報及び物品１０９の情報が内部メモリ２０５に保存される（ステップＳ４０４）。
【００３１】
次に、内部メモリ２０５に保存された渡す側３０１が所持する携帯端末１０１の情報及び物品１０９の情報が、内部制御部２０６によって読み出され、無線ＩＣタグ読み取り部１０２へ送信される（ステップＳ４０５）。無線ＩＣタグ読み取り部１０２にて受信された渡す側３０１が所持する携帯端末１０１の情報及び物品１０９の情報は、制御部２０４によって内部メモリ２０２に保存される（ステップＳ４０６）。
【００３２】
また、それに対し、受け取る側３０２が所持する携帯端末１０１の情報が、受け取る側３０２が所持する携帯端末１０１から渡す側３０１が所持する携帯端末１０１に送信される（ステップＳ４０７）。
【００３３】
渡す側３０１が所持する携帯端末１０１の入出力部２０７において、受け取る側３０２が所持する携帯端末１０１から、受け取る側３０２が所持する携帯端末１０１の情報が受信されると（ステップＳ４０８）、受信された受け取る側３０２が所持する携帯端末１０１の情報が内部メモリ２０５に保存される（ステップＳ４０９）。
【００３４】
次に、内部メモリ２０５に保存された受け取る側３０２が所持する携帯端末１０１の情報が、内部制御部２０６によって読み出され無線ＩＣタグ読み取り部１０２へ送信される（ステップＳ４１０）。無線ＩＣタグ読み取り部１０２にて受信された受け取る側３０２が所持する携帯端末１０１の情報は、制御部２０４によって内部メモリ２０２に保存される（ステップＳ４１１）。
【００３５】
以上の動作により、渡す側３０１が所持する携帯端末１０１と受け取る側３０２が所持する携帯端末１０１とのそれぞれの内部メモリ２０２に、お互いの携帯端末１０１の情報と物品１０９の情報とが保存されることになる。なお、渡す側３０１が所持する携帯端末１０１と受け取る側３０２が所持する携帯端末１０１との間において、各情報が送付される手段は、インターネット網を介したメール等でもよい。
【００３６】
次に、実際に物品１０９が受け渡される際の処理について説明する。
【００３７】
図５は、図３に示した渡す側３０１が所持する携帯端末１０１の動作を説明するフローチャートであり、また、図６は、図３に示した受け取る側３０２が所持する携帯端末１０１の動作を説明するフローチャートである。
【００３８】
まず、渡す側３０１が所持する携帯端末１０１の動作について説明する。
【００３９】
図５に示すように、渡す側３０１が所持する携帯端末１０１において、情報読み取り部２０３にて読み取り処理が行われ（ステップＳ５０１）、制御部２０４にて、情報読み取り部２０３において読み取られた情報と、予め内部メモリ２０２に保存されている情報との比較が行われる（ステップＳ５０２）。そして、情報読み取り部２０３において読み取られた情報の中に、内部メモリ２０２に保存されている受け取る側３０２が所持する携帯端末１０１の情報と一致する情報が存在するかどうかが判断される（ステップＳ５０３）。これにより、受け取る側３０２が所持する携帯端末１０１の検索が行われ、渡す側３０１が所持する携帯端末１０１と受け取る側３０２が所持する携帯端末１０１との間の距離が、３ｍ以内に近づいたかどうかが判断されることになる。情報読み取り部２０３において読み取られた情報の中に、内部メモリ２０２に保存されている受け取る側３０２が所持する携帯端末１０１の情報と一致する情報が存在しない場合は、ステップＳ５０１の処理に戻る。
【００４０】
一方、情報読み取り部２０３において読み取られた情報の中に、内部メモリ２０２に保存されている受け取る側３０２が所持する携帯端末１０１の情報と一致する情報が存在する場合は、さらに、情報読み取り部２０３において読み取られた情報の中に、内部メモリ２０２に保存されている物品１０９の情報と一致する情報が存在するかどうかが判断される（ステップＳ５０４）。これにより、物品１０９が、渡す側３０１が所持する携帯端末１０１から半径３ｍの範囲に存在するかどうかが判断されることになる。
【００４１】
内部メモリ２０２に保存されている物品１０９の情報と一致する情報が存在する場合、再度、情報読み取り部２０３にて読み取り処理が行われ（ステップＳ５０５）、制御部２０４にて、情報読み取り部２０３において読み取られた情報と、予め内部メモリ２０２に保存されている情報との比較が行われる（ステップＳ５０６）。そして、情報読み取り部２０３において読み取られた情報の中に、内部メモリ２０２に保存されている受け取る側３０２が所持する携帯端末１０１の情報と一致する情報が存在するかどうかが判断される（ステップＳ５０７）。これにより、受け取る側３０２が所持する携帯端末１０１の検索が行われ、渡す側３０１が所持する携帯端末１０１と受け取る側３０２が所持する携帯端末１０１との間の距離が、３ｍ以上離れたかどうかが判断されることになる。つまり、一度、渡す側３０１が所持する携帯端末１０１が受け取る側３０２が所持する携帯端末１０１に近づき、物品１０９の受け渡しを行い、渡す側３０１が帰るために、受け取る側３０２から３ｍ以上離れたかどうかが判断されることになる。情報読み取り部２０３において読み取られた情報の中に、内部メモリ２０２に保存されている受け取る側３０２が所持する携帯端末１０１の情報と一致する情報が存在する場合は、ステップＳ５０５の処理に戻る。
【００４２】
一方、情報読み取り部２０３において読み取られた情報の中に、内部メモリ２０２に保存されている受け取る側３０２が所持する携帯端末１０１の情報と一致する情報が存在しない場合は、さらに、情報読み取り部２０３において読み取られた情報の中に、内部メモリ２０２に保存されている物品１０９の情報と一致する情報が存在するかどうかが判断される（ステップＳ５０８）。これにより、物品１０９が、渡す側３０１が所持する携帯端末１０１から半径３ｍの範囲に存在するかどうかが判断されることになる。つまり、渡す側３０１が帰るために受け取る側３０２から半径３ｍ以上離れたにもかかわらず、物品１０９が渡す側３０１が所持する携帯端末１０１から半径３ｍの範囲に存在するかどうかが判断されることになる。
【００４３】
情報読み取り部２０３において読み取られた情報の中に、内部メモリ２０２に保存されている物品１０９の情報と一致する情報が存在しない場合、渡す側３０１から受け取る側３０２に物品１０９が受け渡されたと判断され、処理が終了する。
【００４４】
一方、情報読み取り部２０３において読み取られた情報の中に、内部メモリ２０２に保存されている物品１０９の情報と一致する情報が存在する場合は、渡す側３０１が物品１０９をまだ持参しており、受け取る側３０２に物品１０９を渡し忘れていると判断され、その旨が制御部２０４から内部制御部２０６へ報知される（ステップＳ５０９）。また、ステップＳ５０４において、情報読み取り部２０３にて読み取られた情報の中に、内部メモリ２０２に保存されている物品１０９の情報と一致する情報が存在しない場合においても、その旨が制御部２０４から内部制御部２０６へ報知される。
【００４５】
その後、内部制御部２０６において、設定された方法で携帯端末１０１の外部へ報知が行われるように制御される（ステップＳ５１０）。
【００４６】
次に、受け取る側３０２が所持する携帯端末１０１の動作について説明する。
【００４７】
図６に示すように、受け取る側３０２が所持する携帯端末１０１において、情報読み取り部２０３にて読み取り処理が行われ（ステップＳ６０１）、制御部２０４にて、情報読み取り部２０３において読み取られた情報と、予め内部メモリ２０２に保存されている情報との比較が行われる（ステップＳ６０２）。そして、情報読み取り部２０３において読み取られた情報の中に、内部メモリ２０２に保存されている渡す側３０１が所持する携帯端末１０１の情報と一致する情報が存在するかどうかが判断される（ステップＳ６０３）。これにより、渡す側３０１が所持する携帯端末１０１の検索が行われ、渡す側３０１が所持する携帯端末１０１と受け取る側３０２が所持する携帯端末１０１との間の距離が、３ｍ以内に近づいたかどうかが判断されることになる。情報読み取り部２０３において読み取られた情報の中に、内部メモリ２０２に保存されている渡す側３０１が所持する携帯端末１０１の情報と一致する情報が存在しない場合は、ステップＳ６０１の処理に戻る。
【００４８】
一方、情報読み取り部２０３において読み取られた情報の中に、内部メモリ２０２に保存されている渡す側３０１が所持する携帯端末１０１の情報と一致する情報が存在する場合は、さらに、情報読み取り部２０３において読み取られた情報の中に、内部メモリ２０２に保存されている物品１０９の情報と一致する情報が存在するかどうかが判断される（ステップＳ６０４）。これにより、物品１０９が、受け取る側３０２が所持する携帯端末１０１から半径３ｍの範囲に存在するかどうかが判断されることになる。
【００４９】
内部メモリ２０２に保存されている物品１０９の情報と一致する情報が存在する場合、再度、情報読み取り部２０３にて読み取り処理が行われ（ステップＳ６０５）、制御部２０４にて、情報読み取り部２０３において読み取られた情報と、予め内部メモリ２０２に保存されている情報との比較が行われる（ステップＳ６０６）。そして、情報読み取り部２０３において読み取られた情報の中に、内部メモリ２０２に保存されている渡す側３０１が所持する携帯端末１０１の情報と一致する情報が存在するかどうかが判断される（ステップＳ６０７）。これにより、渡す側３０１が所持する携帯端末１０１の検索が行われ、渡す側３０１が所持する携帯端末１０１と受け取る側３０２が所持する携帯端末１０１との間の距離が、３ｍ以上離れたかどうかが判断されることになる。つまり、一度、渡す側３０１が所持する携帯端末１０１が受け取る側３０２が所持する携帯端末１０１に近づき、物品１０９の受け渡しを行い、渡す側３０１が帰るために、受け取る側３０２から３ｍ以上離れたかどうかが判断されることになる。情報読み取り部２０３において読み取られた情報の中に、内部メモリ２０２に保存されている渡す側３０１が所持する携帯端末１０１の情報と一致する情報が存在する場合は、ステップＳ６０５の処理に戻る。
【００５０】
一方、情報読み取り部２０３において読み取られた情報の中に、内部メモリ２０２に保存されている渡す側３０１が所持する携帯端末１０１の情報と一致する情報が存在しない場合は、さらに、情報読み取り部２０３において読み取られた情報の中に、内部メモリ２０２に保存されている物品１０９の情報と一致する情報が存在するかどうかが判断される（ステップＳ６０８）。これにより、物品１０９が、受け取る側３０２が所持する携帯端末１０１から半径３ｍの範囲に存在するかどうかが判断されることになる。つまり、渡す側３０１が帰るために受け取る側３０２から半径３ｍ以上離れた段階で、物品１０９が受け取る側３０２が所持する携帯端末１０１から半径３ｍの範囲に存在するかどうかが判断されることになる。
【００５１】
情報読み取り部２０３において読み取られた情報の中に、内部メモリ２０２に保存されている物品１０９の情報と一致する情報が存在する場合、渡す側３０１から受け取る側３０２に物品１０９が受け渡されたと判断され、処理が終了する。
【００５２】
一方、情報読み取り部２０３において読み取られた情報の中に、内部メモリ２０２に保存されている物品１０９の情報と一致する情報が存在しない場合、渡す側３０１が物品１０９をまだ持参しており、受け取る側３０２に物品１０９を渡し忘れていると判断され、その旨が制御部２０４から内部制御部２０６へ報知される（ステップＳ６０９）。また、ステップＳ６０４において、情報読み取り部２０３にて読み取られた情報の中に、内部メモリ２０２に保存されている物品１０９の情報と一致する情報が存在しない場合においても、その旨が制御部２０４から内部制御部２０６へ報知される。
【００５３】
その後、内部制御部２０６において、設定された方法で携帯端末１０１の外部へ報知が行われるように制御される（ステップＳ６１０）。
【００５４】
なお、本形態においては、表示部１０３における表示、スピーカ１０４における音の発生及びバイブレータ１０５における振動による報知を示しており、内部制御部２０６によって、それらの報知の制御が行われる。
【００５５】
図７は、図２に示した無線ＩＣタグ読み取り部１０２と無線ＩＣタグ１０６，１１０との間での読み取り処理を説明するための図である。
【００５６】
図７に示すように、無線ＩＣタグ読み取り部１０２によって、内部タイマー２０１を利用して、ある一定周期で無線ＩＣタグ１０６，１１０に対して読み取り処理が行われる。無線ＩＣタグ読み取り部１０２から読み取り処理された無線ＩＣタグ１０６，１１０において、それぞれの内部メモリ２０８，２０９に保存されている情報が読み取られる。この動作が一定周期で続けられる。
【００５７】
図８は、図２に示した無線ＩＣタグ読み取り部１０２から、無線ＩＣタグ１０６，１１０の情報が読み取れなかった場合の処理を説明するための図である。
【００５８】
図８に示すように、無線ＩＣタグ読み取り部１０２によって、内部タイマー２０１を利用して、読み取り処理開始から情報を読み取るまでの許容時間が応答タイムアウト時間として保持されている。その応答タイムアウト時間を超えても情報を読み取ることができない場合、その旨が報知されることになる。
【００５９】
なお、読み取り処理が行われる周期及び応答タイムアウト時間は、無線ＩＣタグ読み取り部１０２及び無線ＩＣタグ１０６，１１０の特性によって、予め、設定されている。
【図面の簡単な説明】
【００６０】
【図１】本発明の物品確認方法を実現するためのシステム構成の実施の一形態を示す図である。
【図２】図１に示した無線ＩＣタグ読み取り部、インタフェース部、無線ＩＣタグの構成を示す図である。
【図３】図１に示した携帯端末と物品とについて、物品を渡す側と受け取る側との関係を示す図である。
【図４】図３に示した渡す側の携帯端末と受け取る側の携帯端末との間で予め送付しておく情報のやりとりを示すフローチャートである。
【図５】図３に示した渡す側の携帯端末の動作を説明するフローチャートである。
【図６】図３に示した受け取る側の携帯端末の動作を説明するフローチャートである。
【図７】図２に示した無線ＩＣタグ読み取り部と無線ＩＣタグとの間での読み取り処理を説明するための図である。
【図８】図２に示した無線ＩＣタグ読み取り部から、無線ＩＣタグの情報が読み取れなかった場合の処理を説明するための図である。
【符号の説明】
【００６１】
１０１    携帯端末
１０２    無線ＩＣタグ読み取り部
１０３    表示部
１０４    スピーカ
１０５    バイブレータ
１０６，１１０    無線ＩＣタグ
１０７    インタフェース部
１０８    操作部
１０９    物品
２０１    内部タイマー
２０２，２０５，２０８，２０９    内部メモリ
２０３    情報読み取り部
２０４    制御部
２０６    内部制御部
２０７    入出力部
３０１    渡す側
３０２    受け取る側
【図１】
2006085439.tif 000003
【図２】
2006085439.tif 000004
【図３】
2006085439.tif 000005
【図４】
2006085439.tif 000006
【図５】
2006085439.tif 000007
【図６】
2006085439.tif 000008
【図７】
2006085439.tif 000009
【図８】
2006085439.tif 000010